(57)【特許請求の範囲】
【請求項１】
壁面もしくは陳列用什器の背面部に、上下方向に所定ピッチで棚板取り付け用の係合部が形成された左右一対のレールが複数対、左右に並んだ状態で設けられているとともに、下記の物品陳列用棚板（Ａ）が複数枚、その被係合部を上記左右一対のレールの係合部に係合させることにより、上記壁面もしくは陳列用什器の背面部に、適宜の配置で着脱自在に取り付けられ、取り付けられた各物品陳列用棚板（Ａ）の上面に、直接もしくはガイド部材を介して物品が陳列されるようになっており、上記物品陳列用棚板（Ａ）の枠体として、奥行き寸法が異なる複数種類の枠体が用意され、上記枠体に取り付けられる物品載置板として、最も奥行き寸法の小さい枠体に合わせた奥行き寸法の物品載置板が各枠体に共用できるよう複数枚用意され、奥行き寸法の最も小さい枠体が最上段に配置され、奥行き寸法の最も大きい枠体が最下段に配置され、その間にも枠体が配置される場合は、上下の枠体が、互いにその奥行き寸法が等しいか下の方が奥行き寸法の大きいものとなるよう配置され、各枠体には、その前端部を枠体の前端部に揃えた状態で物品載置板が取り付けられていることを特徴とする物品陳列棚構造。
（Ａ）金属板で形成された平面視略四角枠状の枠体と、上記枠体上に、ねじ固定もしくは磁石を介して交換可能な形で取り付けられる物品載置板とからなり、上記枠体の奥端部に、上記左右一対のレールの係合部に係合しうる左右一対の被係合部が設けられており、上記物品載置板の前端部および後端部に、幅方向に延びる立ち上がり部が設けられている物品陳列用棚板。
【請求項２】
上記物品陳列用棚板（Ａ）の物品載置板として、異なる材質のものが２種以上用意され、陳列形態に応じて、上記物品載置板が使い分けられるようになっている請求項１記載の物品陳列棚構造。
【請求項３】
上記壁面もしくは陳列用什器の背面部に、下記の物品情報ユニット（Ｂ）が、上記物品陳列用棚板（Ａ）とともに、適宜の配置で着脱自在に取り付けられるようになっている請求項１または２記載の物品陳列棚構造。
（Ｂ）陳列される物品に関する情報を提供するための情報表示手段と、これを保持する本体部とを備え、上記本体部の奥端部に、上記左右一対のレールの係合部に係合しうる左右一対の被係合部が設けられている物品情報ユニット。
【請求項４】
請求項１記載の物品陳列棚構造に用いられる陳列用什器であって、基台部と、その奥端面から立設する背面部とを備え、上記背面部に、上下方向に所定ピッチで棚板取り付け用の係合部が形成された左右一対のレールが複数対、左右に並んだ状態で設けられているとともに、下記の物品陳列用棚板（Ａ）が複数枚、その被係合部を上記左右一対のレールの係合部に係合させることにより、上記壁面もしくは陳列用什器の背面部に、適宜の配置で着脱自在に取り付けられ、取り付けられた各物品陳列用棚板（Ａ）の上面に、直接もしくはガイド部材を介して物品が陳列されるようになっており、上記物品陳列用棚板（Ａ）の枠体として、奥行き寸法が異なる複数種類の枠体が用意され、上記枠体に取り付けられる物品載置板として、最も奥行き寸法の小さい枠体に合わせた奥行き寸法の物品載置板が各枠体に共用できるよう複数枚用意され、奥行き寸法の最も小さい枠体が最上段に配置され、奥行き寸法の最も大きい枠体が最下段に配置され、その間にも枠体が配置される場合は、上下の枠体が、互いにその奥行き寸法が等しいか下の方が奥行き寸法の大きいものとなるよう配置され、各枠体には、その前端部を枠体の前端部に揃えた状態で物品載置板が取り付けられるようになっていることを特徴とする陳列用什器。
（Ａ）金属板で形成された平面視略四角枠状の枠体と、上記枠体上に、ねじ固定もしくは磁石を介して交換可能な形で取り付けられる物品載置板とからなり、上記枠体の奥端部に、上記左右一対のレールの係合部に係合しうる左右一対の被係合部が設けられており、上記物品載置板の前端部および後端部に、幅方向に延びる立ち上がり部が設けられている物品陳列用棚板。
【請求項５】
上記物品陳列用棚板（Ａ）の物品載置板として、異なる材質のものが２種以上用意され、陳列形態に応じて、上記物品載置板が使い分けられるようになっている請求項４記載の陳列用什器。
【請求項６】
上記背面部に、下記の物品情報ユニット（Ｂ）が、上記物品陳列用棚板（Ａ）とともに、適宜の配置で着脱自在に取り付けられるようになっている請求項４または５記載の陳列用什器。
（Ｂ）陳列される物品に関する情報を提供するための情報表示手段と、これを保持する本体部とを備え、上記本体部の奥端部に、上記左右一対のレールの係合部に係合しうる左右一対の被係合部が設けられている物品情報ユニット。
【発明の詳細な説明】
【技術分野】
【０００１】
本発明は、化粧品等の各種物品を店頭に陳列するための物品陳列棚構造およびそれに用いられる陳列用什器に関するものである。
【背景技術】
【０００２】
従来から、化粧品販売店等において、販売用の化粧品やテスター等を店頭に陳列するために、化粧品の種類やシリーズに対応する専用の陳列用什器が賞用されており、なかでも、例えば図６に示すように、棚板１の高さが調整可能になっているものが多く用いられている。すなわち、この陳列用什器は、化粧品やテスター等を収納する基台部２と、その奥端から垂立する背面部３とを備え、上記背面部３には、上下方向に所定ピッチで係合穴３ａが設けられた左右一対のレール４が設けられており、このレール４に、棚板１の奥端面に設けられた係合用のフック５を係合させることにより、適宜の高さに棚板１を取り付けることができるようになっている。
【０００３】
また、単に棚板１の高さが調整可能であるばかりでなく、任意の高さに、陳列ユニットやロゴボックスを直接取り付けることができるようにしたものも提案されている（特許文献１を参照）。
【先行技術文献】
【特許文献】
【０００４】
【特許文献１】特開２００６−１９２０８５公報
【発明の概要】
【発明が解決しようとする課題】
【０００５】
しかしながら、従来の陳列用什器は、建築物の寸法が古来より尺間法を基準にしていることに倣って、幅寸法が９０ｃｍ（３尺）もしくは１８０ｃｍ（１間、６尺）のものが標準仕様となっている。このため、棚板１も、一段の幅が９０ｃｍもしくは１８０ｃｍという、広い幅になっており、多種多様な商品を細かい区分で陳列しにくいという問題がある。
【０００６】
そこで、最近は、幅９０ｃｍの棚板１の上に、商品の種類やシリーズに応じて、異なる陳列形態を実現するために、３０ｃｍ（１尺）幅の商品トレイを横３列に並べて陳列することが多く行われている。しかし、その場合、背の高い商品と背の低い商品とを同じ棚板１上に並べる必要から、背の高い商品に合わせて上下の棚板１の間隔を決めると、背の低い商品の陳列部分の上に隙間が多くあいて、陳列空間に無駄が生じるという問題がある。
【０００７】
このため、棚板１の取り付け幅を小さくして、左右方向に並ぶ複数の棚板を高さを、棚板１上の商品の背の高さに合わせて、互いに違えることができるようにしたものが望まれているが、そのようなものはいまだ開発されていないのが実情である。
【０００８】
本発明は、このような事情に鑑みなされたもので、左右方向に複数の棚板を、互いに異なる高さに配置して陳列することができるようにした物品陳列棚構造と、それに用いられる陳列用什器の提供を、その目的とする。
【課題を解決するための手段】
【０００９】
上記の目的を達成するため、本発明は、壁面もしくは陳列用什器の背面部に、上下方向に所定ピッチで棚板取り付け用の係合部が形成された左右一対のレールが複数対、左右に並んだ状態で設けられているとともに、下記の物品陳列用棚板（Ａ）が複数枚、その被係合部を上記左右一対のレールの係合部に係合させることにより、上記壁面もしくは陳列用什器の背面部に、適宜の配置で着脱自在に取り付けられ、取り付けられた各物品陳列用棚板（Ａ）の上面に、直接もしくはガイド部材を介して物品が陳列されるようになっており、上記物品陳列用棚板（Ａ）の枠体として、奥行き寸法が異なる複数種類の枠体が用意され、上記枠体に取り付けられる物品載置板として、最も奥行き寸法の小さい枠体に合わせた奥行き寸法の物品載置板が各枠体に共用できるよう複数枚用意され、奥行き寸法の最も小さい枠体が最上段に配置され、奥行き寸法の最も大きい枠体が最下段に配置され、その間にも枠体が配置される場合は、上下の枠体が、互いにその奥行き寸法が等しいか下の方が奥行き寸法の大きいものとなるよう配置され、各枠体には、その前端部を枠体の前端部に揃えた状態で物品載置板が取り付けられている物品陳列棚構造を第１の要旨とする。
（Ａ）金属板で形成された平面視略四角枠状の枠体と、上記枠体上に、ねじ固定もしくは磁石を介して交換可能な形で取り付けられる物品載置板とからなり、上記枠体の奥端部に、上記左右一対のレールの係合部に係合しうる左右一対の被係合部が設けられており、上記物品載置板の前端部および後端部に、幅方向に延びる立ち上がり部が設けられている物品陳列用棚板。
【００１０】
また、本発明は、そのなかでも、特に、上記物品陳列用棚板（Ａ）の物品載置板として、異なる材質のものが２種以上用意され、陳列形態に応じて、上記物品載置板が使い分けられるようになっている物品陳列棚構造を第２の要旨とする。
【００１２】
また、本発明は、それらのなかでも、特に、上記壁面もしくは陳列用什器の背面部に、下記の物品情報ユニット（Ｂ）が、上記物品陳列用棚板（Ａ）とともに、適宜の配置で着脱自在に取り付けられるようになっている物品陳列棚構造を第３の要旨とする。
（Ｂ）陳列される物品に関する情報を提供するための情報表示手段と、これを保持する本体部とを備え、上記本体部の奥端部に、上記左右一対のレールの係合部に係合しうる左右一対の被係合部が設けられている物品情報ユニット。
【００１３】
そして、本発明は、上記第１の要旨である物品陳列棚構造に用いられる陳列用什器であって、基台部と、その奥端面から立設する背面部とを備え、上記背面部に、上下方向に所定ピッチで棚板取り付け用の係合部が形成された左右一対のレールが複数対、左右に並んだ状態で設けられているとともに、下記の物品陳列用棚板（Ａ）が複数枚、その被係合部を上記左右一対のレールの係合部に係合させることにより、上記壁面もしくは陳列用什器の背面部に、適宜の配置で着脱自在に取り付けられ、取り付けられた各物品陳列用棚板（Ａ）の上面に、直接もしくはガイド部材を介して物品が陳列されるようになっており、上記物品陳列用棚板（Ａ）の枠体として、奥行き寸法が異なる複数種類の枠体が用意され、上記枠体に取り付けられる物品載置板として、最も奥行き寸法の小さい枠体に合わせた奥行き寸法の物品載置板が各枠体に共用できるよう複数枚用意され、奥行き寸法の最も小さい枠体が最上段に配置され、奥行き寸法の最も大きい枠体が最下段に配置され、その間にも枠体が配置される場合は、上下の枠体が、互いにその奥行き寸法が等しいか下の方が奥行き寸法の大きいものとなるよう配置され、各枠体には、その前端部を枠体の前端部に揃えた状態で物品載置板が取り付けられるようになっている陳列用什器を第４の要旨とする。
（Ａ）金属板で形成された平面視略四角枠状の枠体と、上記枠体上に、ねじ固定もしくは磁石を介して交換可能な形で取り付けられる物品載置板とからなり、上記枠体の奥端部に、上記左右一対のレールの係合部に係合しうる左右一対の被係合部が設けられており、上記物品載置板の前端部および後端部に、幅方向に延びる立ち上がり部が設けられている物品陳列用棚板。
【００１４】
また、本発明は、そのなかでも、特に、上記物品陳列用棚板（Ａ）の物品載置板として、異なる材質のものが２種以上用意され、陳列形態に応じて、上記物品載置板が使い分けられるようになっている陳列用什器を第５の要旨とする。
【００１６】
また、本発明は、それらのなかでも、特に、上記背面部に、下記の物品情報ユニット（Ｂ）が、上記物品陳列用棚板（Ａ）とともに、適宜の配置で着脱自在に取り付けられるようになっている陳列用什器を第６の要旨とする。
（Ｂ）陳列される物品に関する情報を提供するための情報表示手段と、これを保持する本体部とを備え、上記本体部の奥端部には、上記左右一対のレールの係合部に係合しうる左右一対の被係合部が設けられている物品情報ユニット。
【発明の効果】
【００１７】
本発明の物品陳列棚構造によれば、棚板取り付け用の左右一対のレールが、左右に複数対並んだ状態で設けられているため、左右に並ぶ各列の物品陳列用棚板（Ａ）を、列ごとに適宜の高さで取り付けることができ、棚板上に陳列される物品の高さ寸法に応じて、棚板の間隔を適宜に設定することができる。したがって、壁面もしくは陳列用什器の背面部の手前に構成される陳列スペースに無駄が生じることがなく、多種多様な物品を高い密度で陳列することができる。また、意図的に棚板の間隔をあけて、印象的な陳列空間をつくることもでき、さまざまなバリエーションの陳列形態を実現することができる。特に、９０ｃｍ幅や１８０ｃｍ幅の広い棚板に縛られることなく、３０ｃｍ幅や４５ｃｍ幅の棚板を、左右方向に多列に並べて陳列空間をつくることができるため、限られた陳列空間を効率よく利用することができるという利点を有する。
【００１８】
しかも、本発明では、上記物品陳列用棚板（Ａ）が、壁面もしくは陳列用什器の背面側に設けられたレールに係合しうる被係合部を有する平面視略四角枠状の枠体と、これに交換可能な形で取り付けられる物品載置板とで構成されているため、適宜の材質や色合いの物品載置板を取り付けることができ、陳列する物品の種類に応じた印象の陳列形態を実現することができる。また、枠体と物品載置板を、異なる材質のもので形成することができるため、例えば、枠体を、長期にわたって繰り返し使用することができるように金属等で頑丈に形成し、物品載置板は比較的軽量な樹脂や薄肉の金属で形成すれば、全体重量の軽量化を実現するとともに、設備コストの低減化を図ることができる。
【００１９】
そして、本発明は、特に、上記物品陳列用棚板（Ａ）の枠体として、奥行き寸法が異なる複数種類の枠体が用意され、奥行き寸法の最も小さい枠体が最上段に配置され、奥行き寸法の最も大きい枠体が最下段に配置され、その間にも枠体が配置される場合は、上下の枠体が、互いにその奥行き寸法が等しいか下の方が奥行き寸法の大きいものとなるよう配置されて、下の棚板ほど手前に突出する形になるため、下の方に陳列された物品が見やすく、また取り出しやすいという利点を有する。しかも、同じ寸法の物品載置板を共用して、奥行き寸法の大きい枠体ほど、奥側に大きな開口が形成されるようになっているため、清掃時に、この開口を介して、棚板上の塵や埃を下に落とせば、最下段の奥側に塵や埃を集めることができ、その除去を簡単に行うことができる。
【００２０】
また、本発明では、特に、上記枠体が金属板によって形成されており、繰り返し使用しても、レールとの係合部が変形することがない。しかも、上記物品陳列用棚板（Ａ）の物品載置板が、その前端部および後端部に、幅方向に延びる立ち上がり部を有するため、物品陳列用棚板（Ａ）に、物品を載置した状態で配置替えを行う場合、前後方向に物品がずれても、上記立ち上がり部によって物品の落下を防止することができ、作業性がよいという利点を有する。なお、左右方向のずれは、物品陳列用棚板（Ａ）を持つ作業員の左右の腕で防止されるため、特に問題にならない。
【００２１】
なお、本発明のなかでも、特に、上記物品陳列用棚板（Ａ）の物品載置板として、異なる材質のものが２種以上用意され、陳列形態に応じて、上記物品載置板が使い分けられるようになっているものは、例えば、透明アクリル板やガラス板を用いることによって、上下方向から照明を透過させて明るい印象にしたり、鏡面仕上げされた金属板を用いることによって、メタリックな印象を付与したり、あるいは乳白色の樹脂板を用いることによって、柔和な印象を付与する等、陳列物品のイメージや陳列構成全体のイメージに応じて、適宜に物品載置板を使い分けることができる。
【００２２】
さらに、本発明のなかでも、特に、上記壁面もしくは陳列用什器の背面部に、上記物品情報ユニット（Ｂ）が、上記物品陳列用棚板（Ａ）とともに、適宜の配置で着脱自在に取り付けられるようになっているものは、陳列構成全体のなかで、適宜の位置に配置された情報表示手段によって、陳列物品に関する情報を顧客に提供することができるため、顧客にとって非常にわかりやすい陳列構成をつくることができる。
【００２３】
そして、本発明の陳列用什器によれば、上記物品陳列棚構造を、単体の什器を用いて、簡単に提供することができ、実用的な効果が高い。
【図面の簡単な説明】
【００２４】
【図１】本発明の一実施の形態である陳列用什器を示す外観斜視図である。
【図２】上記陳列用什器の分解斜視図である。
【図３】上記陳列用什器のベース部を示す正面図である。
【図４】上記陳列用什器に用いられる物品陳列用棚板の分解斜視図である。
【図５】上記陳列用什器の部分的な右側面図である。
【図６】従来の陳列用什器の一例を示す分解斜視図である。
【発明を実施するための形態】
【００２５】
つぎに、本発明を実施するための実施の形態について説明する。ただし、本発明は、以下の実施の形態に限定されるものではない。
【００２６】
図１は、本発明を、化粧品とそのテスターを陳列するための陳列用什器に適用した一実施の形態を示している。
【００２７】
この陳列用什器は、図２に示すように、箱状の基台部１１とその奥端から垂立する背面部１２とを備えたベース部１３に、大きさの異なる３種類の物品陳列用棚板１４、１５、１６を各２枚ずつと、略箱状の物品情報ユニット１７と、蛍光灯が内蔵された照明ユニット１８とを、着脱自在に取り付けることによって構成されている。
【００２８】
より詳しく説明すると、上記ベース部１３の基台部１１には、化粧品の商品やテスターをストックするための引き出し１０が左右２個設けられており、その正面開口が、蝶番１９（図３参照）を介して開閉自在に取り付けられた扉２０によって隠されるようになっている。
【００２９】
また、上記基台部１１の奥端から垂立する背面部１２には、棚板取り付け用のレール２２〜２５が、左右に４本、所定間隔で並んだ状態で、背面部１２を構成するパネル１２ａの間に挟持されている。レール２２〜２５は、それぞれ四角筒状で、その正面を向いた面に、棚板を係合させるための係合部として、縦長の切欠き穴２１が上下方向に所定ピッチで形成されている。ただし、これらのレール２２〜２５のうち、左右両端に設けられるレール２２、２５は、上下に並ぶ切欠き穴２１の列が１本の単レールであり、内側の２本のレール２３、２４は、上下に並ぶ切欠き穴２１の列が２本の複レールである。したがって、向かって右端のレール２２と、内側のレール２３の右半分が、「左右一対のレール」として、背面部１２の向かって右側に取り付けられる物品陳列用棚板１４、１５との係合に用いられるようになっている。また、内側のレール２３の左半分と、その左側のレール２４の右半分が、同じく「左右一対のレール」として、背面部１２の中央に取り付けられる物品情報ユニット１７との係合に用いられるようになっている。さらに、上記レール２４の左半分と、左端のレール２５とが、「左右一対のレール」として、背面部１２の向かって左側に取り付けられる物品陳列用棚板１４、１５との係合に用いられるようになっている。なお、幅広の物品陳列用棚板１６は、左右両端のレール２２、２５の切欠き穴２１に係合して取り付けられるようになっている。
【００３０】
また、前記照明ユニット１８には、その下面の左右両端から下向きに、連結軸３０が突出形成されており、この連結軸３０を、背面部１２の左右両端のレール２２、２５の上端開口に差し込むことによって、照明ユニット１８が、背面部１２の上端部に固形されている。
【００３１】
一方、３種類の物品陳列用棚板（以下「棚板」と略す）１４、１５、１６は、寸法に違いはあるものの、いずれも基本的な構成は同じであることから、その構成を、背面部１２の左右の最上段に取り付けられる棚板１４を例にとって説明する。
【００３２】
すなわち、上記棚板１４は、図４に示すように、平面視略四角枠状の枠体４０と、上記枠体４０上に、前後２個所でねじ留めされることによって、交換可能に取り付けられる物品載置板４１とで構成されている。
【００３３】
上記枠体４０は、全体が、黒色に塗装された金属板からなり、具体的には、左右の枠辺４２、４３が、打ち抜き成形された厚み２ｍｍのステンレス板で構成され、前後の枠辺４４、４５が、厚み１ｍｍのステンレス製角パイプで構成されている。そして、上記左右の枠辺４２、４３の後端部には、上記背面部１２のレール２２等の切欠き穴２１（図３参照）と係合して枠体４０を固定するための、独特の凹凸形状を有する被係合部５０が、それぞれ後方に突出形成されている。
【００３４】
そして、上記枠体４０の、前側の枠辺４４の前端面には、横長帯状の正面板４０ａが設けられており、この部分に、スティック状の照明ユニットを取り付けたり、陳列物品に関するＰＯＰを取り付けたりすることができるようになっている。
【００３５】
また、上記枠体４０の上に取り付けられる物品載置板４１は、厚み１ｍｍの透明ポリエチレンテレフタレート（ＰＥＴ）シートからなり、上記枠体４０の開口を上から塞ぐ水平面部５１と、その前端部、後端部のそれぞれにおいて幅方向に延びる立ち上がり部５２、５３とを備えている。
【００３６】
なお、５４は、枠体４０側に設けられるねじ穴であり、５５は、物品載置板４１側に設けられるねじ固定用の貫通穴である。
【００３７】
したがって、上記枠体４０に、物品載置板４１をねじ固定した状態で、枠体４０の左右の後端部に設けられた被係合部５０を、前記背面部１２側の切欠き穴２１と係合させることにより、背面部１２に対し水平に棚板１４を取り付けることができる（図５参照）。
【００３８】
なお、棚板１４の下に取り付けられる棚板１５は、図２に示すように、左右の枠辺（棚板１４の４２、４３に相当）の長さが棚板１４より長く設定されており、その下の、上下二段に取り付けられる棚板１６は、ともに、左右の枠辺の長さが上記棚板１５よりさらに長くなっている。しかも、上記棚板１６は、その左右の枠辺の間隔、すなわち棚板１６の左右の幅が大幅に広くなっており、この陳列用什器の背面部１２の左右両端のレール２２、２５に係合することにより、背面部１２に取り付けられるようになっている。
【００３９】
また、背面部１２の中央に取り付けられる物品情報ユニット１７は、図２に示すように、傾斜した前面を有する略箱形状の本体部６０と、その内側に組み込まれる画像表示手段とを備え、本体部６０の前面中央に位置決めされた、上記画像表示手段の画像表示部６２によって、陳列商品に関する情報を画像として顧客に提供するようになっている。そして、上記画像表示部６２の下には、物品情報が表示されたリーフレット６３を保持するホルダー部６４が設けられており、上端部には、三面鏡６５が取り付けられている。
【００４０】
なお、上記本体部６０の奥端面は、取り外し自在な背板６１によって構成されており、その左右両端に、陳列用什器の背面部１２側の切欠き穴２１（図３参照）と係合しうる被係合部７０（棚板１４の被係合部５０の先端部と同一形状、図４参照）が、上下２個ずつ突出形成されている。
【００４１】
したがって、上記背板６１を、本体部６０の奥端面として取り付けた状態で、その被係合部７０を、前記背面部１２側の切欠き穴２１と係合させることにより、背面部１２の中央に、物品情報ユニット１７を安定した状態で取り付けることができるようになっている（図１参照）。
【００４２】
このように構成された陳列用什器によれば、その背面部１２に、２本の単レールと２本の複レール（２２〜２５）からなる、左右計３対のレール対が並び、その左右両側の各レール対を利用して、左右各２枚、合計４枚の棚板１４、１５と、左右にまたがる上下２枚の棚板１６とが、それぞれ各別に、適宜の高さに取り付けられるようになっている。したがって、棚板１４〜１６上に陳列される物品（化粧品やテスター、あるいはその関連物等）の高さ寸法に応じて、棚板１４〜１６の互いの間隔を適宜に設定することができ、陳列スペースに無駄が生じることがなく、多種多様な物品を高い密度で陳列することができる、という効果を奏する。もちろん、意図的に各棚板１４〜１６の間隔をあけて、印象的な陳列空間をつくることもでき、さまざまなバリエーションの陳列形態を実現することができる。なお、上記棚板１４〜１６の上には、直接化粧品等の物品を陳列してもよいし、物品を見栄えよく一まとまりで陳列する専用の陳列トレイ８０（図５にその一例の外形を鎖線で示す）等のガイド部材を用いて陳列してもよい。
【００４３】
また、上記陳列用什器によれば、９０ｃｍ幅や１８０ｃｍ幅の広い棚板に縛られることなく、３０ｃｍ幅や４５ｃｍ幅の棚板を、左右方向に多列に並べて陳列空間をつくることができるため、限られた陳列空間を効率よく利用することができるという利点を有する。そして、３０ｃｍ幅や４５ｃｍ幅の棚板を用いた陳列用什器を提供する場合、例えば既存の、９０ｃｍ幅の棚板取り付け用レールが左右両側に設けられた陳列用什器の背面部において、その内側に、複レールであるレール２３、２４（図３参照）を追加するだけで、簡単に、上記の例と同様の陳列用什器を得ることができ、経済的である。もちろん、既存の、９０ｃｍ幅の棚板取り付け用レールが左右両側に設けられた陳列用什器の背面部の中央に、複レールであるレール２３を１本追加すれば、簡単に、４５ｃｍ幅の棚板を、左右に異なる高さで並べることのできる陳列空間をつくることができる。
【００４４】
しかも、上記棚板１４〜１６が、それぞれ平面視略四角枠状の枠体４０と、これに交換可能な形で取り付けられる物品載置板４１とで構成されているため、適宜の材質や色合いの物品載置板４１を取り付けることができ、陳列する物品の種類に応じた印象の陳列形態を実現することができる。そして、陳列する物品の重量に応じた強度を確保しながら、より軽い材質のものを選択的に使用することができるため、全体として、陳列用什器の軽量化を図ることができる。一方、枠体４０自体は、頑丈な材質のもの（すなわち金属板）で形成し、長期にわたって繰り返し使用することができる。
【００４５】
そして、上記物品載置板４１が、その前端部および後端部に、幅方向に延びる立ち上がり部５２、５３を有しているため、棚板１４〜１６上に、物品を載置した状態のまま配置替えを行う場合、前後方向に物品がずれても、上記立ち上がり部５２、５３によって物品の落下を防止することができ、作業性がよいという利点を有する。なお、左右方向のずれは、棚板１４〜１６を持つ作業員の左右の腕で防止されるため、特に問題にならない。
【００４６】
しかも、上記陳列用什器は、その右側面を示す図５に示すように、上下の枠体４０が、互いにその奥行き寸法が等しいか下の方が奥行き寸法の大きいものである配置になっているため、下の棚板ほど（１４より１５、１５より１６）手前に突出する形になっている。したがって、下の方に陳列された物品が見やすく、また取り出しやすいという利点を有する。しかも、同じ寸法の物品載置板４１が共用されているため、奥行き寸法の大きい枠体ほど、奥側に大きな開口が形成されることになるため、清掃時に、この開口を介して、棚板上の塵や埃を下に落とせば、矢印で示すように、最下段の、基台部１１上に塵や埃を集めることができ、その除去を簡単に行うことができる。
【００４７】
なお、本発明において、上記枠体４０の構造は、その上に物品載置板４１を取り付けることができ、かつ奥端部に、レール側の切欠き穴２１と係合しうる被係合部５０が設けられていれば、どのような形状であっても差し支えない。そして、もちろん、レール側の係合部が突出形状である場合には、枠体４０側の被係合部５０は凹形状に形成される。いずれにしても、両者の係合によって、棚板１４〜１６をレール側に固定することができればよい。そして、枠体４０は、長期にわたって繰り返し使用しても、その被係合部５０が変形しないものであることが好ましく、本発明では、上記の例のように、金属板で形成することが必要である。金属板を用いると、物品載置板４１をねじ固定できるだけでなく、物品載置板４１の裏面側に、例えば薄い磁石を貼付しておけば、これを簡単に着脱することができる。同様に、その正面や側面に、磁石を介して、照明装置やＰＯＰ用のパネル、シート等を、簡単に取り付けることができる。
【００４８】
また、本発明において、上記物品載置板４１の構造も、その上に、物品を陳列できるような面を有し、上記枠体４０に交換可能な形で取り付けることができるようになっていれば、どのような材質、形状のものであってもよいが、すでに述べたように、透明アクリル板やガラス板を用いることによって、上下方向から照明を透過させて明るい印象にしたり、鏡面仕上げされた金属板を用いることによって、メタリックな印象を付与したり、あるいは乳白色の樹脂板を用いることによって、柔和な印象を付与することができる。したがって、これら材質の異なる物品載置板４１を多数、予め用意しておけば、陳列物品のイメージや陳列構成全体のイメージに応じて、適宜使い分けることができ、好適である。
【００４９】
そして、本発明では、物品載置板４１の前端部と後端部とに、物品の落下防止のために、幅方向に延びる立ち上がり部５２、５３を設けることが必要である。ただし、物品載置板４１の上に、例えば陳列トレイ８０（図５を参照）等のガイド部材を介して物品を陳列する場合、ガイド部材の底部を、上記物品載置板４１もしくは枠体４０の適宜の部位と嵌合させるようにしてもよい。
【００５０】
また、上記の例では、陳列用什器の背面部１２におけるレール対の構成を、左右両端に単レール２２、２５を配し、内側に、複レール２３、２４を配したが、全てのレールを単レールで構成しても差し支えない。そして、レール対の数、すなわち左右に並ぶ棚板１４等の列数は、必ずしも３列に限らず、複数であればよい。ただし、３０ｃｍ幅の棚板を左右方向に３の倍数で並べた陳列構成か、４５ｃｍ幅の棚板を左右方向に２の倍数で並べた陳列構成であることが、尺間法に従った店舗設計上の収まりを考慮すれば、好適である。
【００５１】
また、上記の例では、陳列用什器において、物品情報ユニット１７、照明ユニット１８を組み込んだ構成になっているが、これらは、必ずしも必要ではない。ただし、スペースに限りのある店舗内では、これらが組み込まれた構成になっている什器の方が、コンパクトで集約的な陳列構成を実現することができるため、好適である。
【００５２】
さらに、上記陳列用什器の基台部１１も、必ずしも引き出し１０になっている必要はなく、観音開きの扉や引き戸によって、内側の収納品を出し入れするようになっていてもよい。また、基台部１１に物品収納用空間がなく、什器全体が棚板で仕切られた構成になっていてもよい。その場合、什器の底面部が基台部１１となる。
【００５３】
そして、上記の例は、本発明の物品陳列棚構造を、陳列用什器を用いて実現した例であるが、必ずしも陳列用什器を用いる必要はなく、例えば、店舗の壁面に、直接棚板取り付け用のレール２２等を取り付けて、棚板１４、１５、１６等を取り付けることにより、本発明の物品陳列棚構造を実現するようにしてもよい。
【産業上の利用可能性】
【００５４】
本発明は、化粧品やそのテスター等、多種多様な物品を集約的に陳列するための物品陳列棚構造およびそれに用いられる陳列用什器に利用することができる。
【符号の説明】
【００５５】
１４  物品陳列用棚板
４０  枠体
４１  物品載置板
５０  被係合部
【図１】
0005587634.tif 000002
【図２】
0005587634.tif 000003
【図３】
0005587634.tif 000004
【図４】
0005587634.tif 000005
【図５】
0005587634.tif 000006
【図６】
0005587634.tif 000007